(57)【要約】      （修正有）【課題】外出時に機器の異常を確認でき、かつ異常があった機器に対して迅速に対処できる監視装置、制御プログラム及び制御方法を提供する。【解決手段】ルータ装置２は、玄関鍵３の施錠を契機に、家庭内の電気機器４〜７の状態を検出する。電気機器４〜７の現在の状態と、予め登録した電気機器４〜７の外出時の正常状態とを対比する。状態が異なる電気機器は異常である。ルータ装置２は利用者の携帯端末８に発信する。ルータ装置２は、携帯端末８との通話において異常のあった電気機器に対応するＤＴＭＦ入力用音声を再生する。利用者は、携帯端末８でＤＴＭＦ入力を行う。ルータ装置２は、携帯端末８から受信したＤＴＭＦ信号に対応する電気機器を正常に設定し直す。【選択図】図１
2012159900.tif 000002
【特許請求の範囲】
【請求項１】
機器の異常を監視する監視装置であって、
前記監視装置を制御する制御部と、
前記制御部に実行させる命令を記憶した記憶部とを備え、
前記制御部は、前記命令を実行することにより、
所定タイミングで前記機器の状態を検出する機器状態検出ステップと、
前記機器状態検出ステップにおいて検出した前記機器の状態と、予め登録した前記機器の通常状態とを比較して前記機器の異常の有無を判断する異常有無判断ステップと、
前記異常有無判断ステップにおいて前記機器に異常があると判断した場合、プッシュホン式電話機能を有する外部端末に異常情報を出力する異常情報出力ステップと、
前記異常情報を受信した前記外部端末から出力され、前記機器の制御を要求する制御要求指令を受け付ける制御要求指令受付ステップと、
前記制御要求指令受付ステップにおいて受け付けた前記制御要求指令に基づき、前記機器を制御する機器制御ステップと
を実行することを特徴とする監視装置。
【請求項２】
前記制御部は、
前記異常情報出力ステップを実行するときに、前記異常情報として、前記異常有無判断ステップにおいて異常と判断された前記機器のみに対応し、かつ前記機器の複数の操作の中から少なくとも一の操作を、プッシュホン入力により選択可能な音声メニュー情報を前記外部端末に出力し、
前記制御要求指令受付ステップを実行するときに、前記音声メニュー情報を受信した前記外部端末において、前記音声メニュー情報に従って入力されたプッシュホン信号を、前記制御要求指令として受け付け、
前記機器制御ステップを実行するときに、前記制御要求指令受付ステップにおいて受け付けた前記プッシュホン信号に基づき、前記機器を制御することを特徴とする請求項１に記載の監視装置。
【請求項３】
利用者の外出を検知する外出検知部を備え、
前記制御部は、前記機器状態検出ステップを実行するときに、
前記外出検出部によって前記利用者の外出を検知した場合に、前記機器の状態を検出することを特徴とする請求項１又は２に記載の監視装置。
【請求項４】
機器の異常を監視する監視装置を機能させる制御プログラムであって、
コンピュータに、
所定タイミングで前記機器の状態を検出する機器状態検出ステップと、
前記機器状態検出ステップにおいて検出した前記機器の状態と、予め登録した前記機器の通常状態とを比較して前記機器の異常の有無を判断する異常有無判断ステップと、
前記異常有無判断ステップにおいて前記機器に異常があると判断した場合、プッシュホン式電話機能を有する外部端末に異常情報を出力する異常情報出力ステップと、
前記異常情報を受信した前記外部端末から出力され、前記機器の制御を要求する制御要求指令を受け付ける制御要求指令受付ステップと、
前記制御要求指令受付ステップにおいて受け付けた前記制御要求指令に基づき、前記機器を制御する機器制御ステップと
を実行させることを特徴とする制御プログラム。
【請求項５】
機器の異常を監視する監視装置の制御方法であって、
所定タイミングで前記機器の状態を検出する機器状態検出ステップと、
前記機器状態検出ステップにおいて検出した前記機器の状態と、予め登録した前記機器の通常状態とを比較して前記機器の異常の有無を判断する異常有無判断ステップと、
前記異常有無判断ステップにおいて前記機器に異常があると判断した場合、プッシュホン式電話機能を有する外部端末に異常情報を出力する異常情報出力ステップと、
前記異常情報を受信した前記外部端末から出力され、前記機器の制御を要求する制御要求指令を受け付ける制御要求指令受付ステップと、
前記制御要求指令受付ステップにおいて受け付けた前記制御要求指令に基づき、前記機器を制御する機器制御ステップと
を備えたことを特徴とする制御方法。
【発明の詳細な説明】
【技術分野】
【０００１】
本発明は、機器の異常を監視する監視装置、制御プログラム、及び制御方法に関する。
【背景技術】
【０００２】
従来、外出時に玄関ドアを施錠すると、予め登録された電気機器、センサの状態を自動的にチェックすることが可能な監視端末、通信モジュール及びホームコントロールシステムが知られている（例えば、特許文献１参照）。監視端末は、電気機器、センサ、施錠装置に組み込まれた通信モジュールからの機器情報、状態情報を受信し、受信した電気機器の電源の状態、センサの作動状態を記憶し、各種情報を表示部に表示する。通信モジュールは、検出部により夫々の状態を検出し、監視端末に対して情報を送信する。さらに、通信モジュールは、検出部による状態変化の検出時に機器情報、状態情報を送信する。監視端末は、通信モジュールにより施錠を通知された際に、記憶部に記憶されている電源の状態、作動状態をチェックし、全てが電源オフ状態、正常状態にあれば表示部に正常である旨を表示し、そうでない場合は異常である旨を表示する。
【先行技術文献】
【特許文献】
【０００３】
【特許文献１】特開２００１−１６０１９０号公報
【発明の概要】
【発明が解決しようとする課題】
【０００４】
しかしながら、特許文献１に記載の監視端末では、利用者の外出時において、電気機器等に異常があった場合に、表示部に異常である旨を表示するだけである。利用者はその場では異常のあった電気機器に対してすぐに対応できないという問題点があった。
【０００５】
本発明は、上記課題を解決するためになされたものであり、外出時に機器の異常を確認でき、かつ異常があった機器に対して迅速に対処できる監視装置、制御プログラム  及び制御方法を提供することを目的とする。
【課題を解決するための手段】
【０００６】
本発明の第１態様に係る監視装置は、機器の異常を監視する監視装置であって、前記監視装置を制御する制御部と、前記制御部に実行させる命令を記憶した記憶部とを備え、前記制御部は、前記命令を実行することにより、所定タイミングで前記機器の状態を検出する機器状態検出ステップと、前記機器状態検出ステップにおいて検出した前記機器の状態と、予め登録した前記機器の通常状態とを比較して前記機器の異常の有無を判断する異常有無判断ステップと、前記異常有無判断ステップにおいて前記機器に異常があると判断した場合、プッシュホン式電話機能を有する外部端末に異常情報を出力する異常情報出力ステップと、前記異常情報を受信した前記外部端末から出力され、前記機器の制御を要求する制御要求指令を受け付ける制御要求指令受付ステップと、前記制御要求指令受付ステップにおいて受け付けた前記制御要求指令に基づき、前記機器を制御する機器制御ステップとを実行することを特徴とする。
【０００７】
第１態様に係る監視装置では、制御部が記憶部に記憶した命令を実行する。監視装置は、機器に異常があると判断した場合、プッシュホン式電話機能を有する外部端末に異常情報を出力する。これにより、利用者は、外出時に機器の異常を確認できる。さらに、監視装置は、異常情報を受信した外部端末から出力された制御要求指令を受け付け、その受け付けた制御要求指令に基づき、機器を制御する。これにより、監視装置は、利用者が外部端末から監視端末に向けて出力した制御要求指令に基づき、異常のあった機器に対して迅速に対処できる。
【０００８】
また、第１態様において、前記制御部は、前記異常情報出力ステップを実行するときに、前記異常情報として、前記異常有無判断ステップにおいて異常と判断された前記機器のみに対応し、かつ前記機器の複数の操作の中から少なくとも一の操作を、プッシュホン入力により選択可能な音声メニュー情報を前記外部端末に出力し、前記制御要求指令受付ステップを実行するときに、前記音声メニュー情報を受信した前記外部端末において、前記音声メニュー情報に従って入力されたプッシュホン信号を、前記制御要求指令として受け付け、前記機器制御ステップを実行するときに、前記制御要求指令受付ステップにおいて受け付けた前記プッシュホン信号に基づき、前記機器を制御してもよい。制御部は、異常情報として、異常と判断された機器のみに対応し、かつ機器の複数の操作の中から少なくとも一の操作を、プッシュホン入力により選択可能な音声メニュー情報を外部端末に出力する。これにより、その外部端末の利用者は、外出先から音声メニュー情報に従って入力されたプッシュホン信号により、機器の操作を簡単、かつ迅速に選択できる。
【０００９】
また、第１態様において、利用者の外出を検知する外出検知部を備え、前記制御部は、前記機器状態検出ステップを実行するときに、前記外出検出部によって前記利用者の外出を検知した場合に、前記機器の状態を検出してもよい。これにより、利用者が外出する時点での機器の状態を検出できるので、監視装置は、機器が異常のままで利用者が外出してしまうのを防止できる。
【００１０】
本発明の第２態様に係る制御プログラムは、機器の異常を監視する監視装置を機能させる制御プログラムであって、コンピュータに、所定タイミングで前記機器の状態を検出する機器状態検出ステップと、前記機器状態検出ステップにおいて検出した前記機器の状態と、予め登録した前記機器の通常状態とを比較して前記機器の異常の有無を判断する異常有無判断ステップと、前記異常有無判断ステップにおいて前記機器に異常があると判断した場合、プッシュホン式電話機能を有する外部端末に異常情報を出力する異常情報出力ステップと、前記異常情報を受信した前記外部端末から出力され、前記機器の制御を要求する制御要求指令を受け付ける制御要求指令受付ステップと、前記制御要求指令受付ステップにおいて受け付けた前記制御要求指令に基づき、前記機器を制御する機器制御ステップとを実行させることを特徴とする。
【００１１】
第２態様に係る制御プログラムでは、監視装置のコンピュータは、機器に異常があると判断した場合、プッシュホン式電話機能を有する外部端末に異常情報を出力する。これにより、利用者は、外出時に機器の異常を確認できる。さらに、コンピュータは、異常情報を受信した外部端末から出力された制御要求指令を受け付け、その受け付けた制御要求指令に基づき、機器を制御する。これにより、監視装置は、利用者が外部端末から監視端末に向けて出力した制御要求指令に基づき、異常のあった機器に対して迅速に対処できる。
【００１２】
本発明の第３態様に係る制御方法は、機器の異常を監視する監視装置の制御方法であって、所定タイミングで前記機器の状態を検出する機器状態検出ステップと、前記機器状態検出ステップにおいて検出した前記機器の状態と、予め登録した前記機器の通常状態とを比較して前記機器の異常の有無を判断する異常有無判断ステップと、前記異常有無判断ステップにおいて前記機器に異常があると判断した場合、プッシュホン式電話機能を有する外部端末に異常情報を出力する異常情報出力ステップと、前記異常情報を受信した前記外部端末から出力され、前記機器の制御を要求する制御要求指令を受け付ける制御要求指令受付ステップと、前記制御要求指令受付ステップにおいて受け付けた前記制御要求指令に基づき、前記機器を制御する機器制御ステップとを備えたことを特徴とする。
【００１３】
第３態様に係る制御方法では、監視装置は、機器に異常があると判断した場合、プッシュホン式電話機能を有する外部端末に異常情報を出力する。これにより、利用者は、外出時に機器の異常を確認できる。さらに、監視装置は、異常情報を受信した外部端末から出力された制御要求指令を受け付け、その受け付けた制御要求指令に基づき、機器を制御する。これにより、監視装置は、利用者が外部端末から監視端末に向けて出力した制御要求指令に基づき、異常のあった機器に対して迅速に対処できる。
【図面の簡単な説明】
【００１４】
【図１】監視システム１の構成を示す図である。
【図２】監視システム１の電気的構成を示すブロック図である。
【図３】フラッシュメモリ２４の各種記憶領域を示す概念図である。
【図４】外出時設定テーブル２４２１の概念図である。
【図５】外出時状態テーブル２４３１の概念図である。
【図６】機器／ＤＴＭＦ対応テーブル２４４１の概念図である。
【図７】音声メニュー２４５１の概念図である。
【図８】音声データ記憶エリア２４６の概念図である。
【図９】外出検出処理のフローチャートである。
【図１０】監視処理のフローチャートである。
【図１１】図１０の続きを示すフローチャートである。
【図１２】機器状態設定処理のフローチャートである。
【図１３】ＤＴＭＦ入力処理のフローチャートである。
【図１４】音声メニュー２４５２の概念図である。
【発明を実施するための形態】
【００１５】
以下、本発明に係る監視装置の一実施形態であるルータ装置２、制御プログラム、及び制御方法について、図面を参照して説明する。なお、参照する図面及びフローチャートは、本発明が採用し得る技術的特徴を説明するために用いられるものである。図面に記載されている機器の構成、フローチャート等は、それのみに限定する趣旨ではなく、単なる説明例である。
【００１６】
はじめに、ルータ装置２を中心とする監視システム１の概要について、図１を参照して説明する。監視システム１は、監視装置としてのルータ装置２と、該ルータ装置２とＰＳＴＮ１０１経由で通信可能な携帯端末８と、ルータ装置２にＬＡＮ１０２を介して接続された玄関鍵３と、同じくルータ装置２にＬＡＮ１０２を介して接続された家庭内の電気機器であるテレビ４、パソコン５、室内灯６、及び防犯装置７（まとめて電気機器４〜７と呼ぶ。）とを備えている。電気機器４〜７は一例であって、これ以外の電気機器をルータ装置２の管理下としてもよい。
【００１７】
ルータ装置２は、コンピュータネットワークにおいて２つ以上の異なるネットワーク間を相互に接続する通信機器である。ルータ装置２は、このような一般的な中継機能と、家庭内の電気機器４〜７の外出時の異常を監視できる監視機能とを併せ持っている。玄関鍵３は、玄関を施錠する通常の機能に加え、施錠を契機に、ルータ装置２の監視機能を実行させるトリガー機器としても機能する。
【００１８】
次に、ルータ装置２の電気的構成について、図２を参照して説明する。ルータ装置２は、装置全体の制御を司るＣＰＵ２１を備えている。ＣＰＵ２１には、ＢＩＯＳ等の各種プログラムを記憶したＲＯＭ２２と、各種データを一時的に記憶するＲＡＭ２３と、後述する各種データを記憶するフラッシュメモリ２４と、ＬＡＮ１０２に接続するためのネットワーク通信部２５と、ＰＳＴＮ１０１に接続するためのＰＳＴＮ通信部２６とがバスで接続されている。
【００１９】
次に、携帯端末８の電気的構成について、図２を参照して説明する。携帯端末８は、一般的なプッシュホンである。携帯端末８は、端末全体の制御を司るＣＰＵ８１を備えている。ＣＰＵ８１には、ＢＩＯＳ等の各種プログラムを記憶したＲＯＭ８２と、各種データを一時的に記憶するＲＡＭ８３と、フラッシュメモリ８４と、データの受け渡しを行う入出力部８５と、ＰＳＴＮ１０１に無線で接続するための無線通信部８６とがバスで接続されている。入出力部８５には、電話の音声を出力するスピーカ８７と、利用者の音声を入力するマイク８８と、各種プッシュボタンを有し、ＤＴＭＦを入力可能な入力部８９とが接続されている。無線通信部８６にはアンテナ１８が接続されている。ＰＳＴＮ１０１に接続された移動通信網１１１にはアンテナ１１２が接続されている。無線通信部８６は、アンテナ１８、１１２、移動通信網１１１を介して、ＰＳＴＮ１０１とデータの送受信を行う。
【００２０】
ここで、ＤＴＭＦ（Dual-Tone Multi-Frequency）とは、０から９までの数字と、＊、＃、Ａ、Ｂ、Ｃ、Ｄの記号の計１６種類の符号を、低群・高群の２つの音声周波数帯域の合成信号音で送信する方法である。別名「トーン信号」「ダイヤルトーン」「プッシュ信号」とも呼ばれる。ＤＴＭＦは、プッシュ式電話回線での電話番号の送出、特に本実施例では音声回線での番号入力で用いられる。本実施例では、「プッシュ信号」をＤＴＭＦと呼んで説明する。
【００２１】
次に、玄関鍵３の電気的構成について、図２を参照して説明する。玄関鍵３は、ＣＰＵ３１を備えている。ＣＰＵ３１には、ＬＡＮ１０２に接続するためのネットワーク通信部３２と、鍵機構部３５とがバスを介して接続されている。鍵機構部３５は、図示外の鍵によって扉を施錠できる。ＣＰＵ３１は、鍵機構部３５に設けられたセンサ等によって扉の施錠を検出できる。
【００２２】
次に、電気機器４〜７の電気的構成について、図２を参照して説明する。テレビ４は、装置全体の制御を司るＣＰＵ４１を備えている。ＣＰＵ４１には、ＬＡＮ１０２に接続するためのネットワーク通信部４２と、テレビ４のモニターのＯＮ／ＯＦＦを切り替える動作部４５とが接続されている。
【００２３】
パソコン５は、装置全体の制御を司るＣＰＵ５１を備えている。ＣＰＵ５１には、ＬＡＮ１０２に接続するためのネットワーク通信部５２と、パソコン５の電源のＯＮ／ＯＦＦを切り替える動作部５５とが接続されている。
【００２４】
室内灯６は、機器の制御を司るＣＰＵ６１を備えている。ＣＰＵ６１には、ＬＡＮ１０２に接続するためのネットワーク通信部６２と、室内灯６の点灯／消灯を切り替える動作部６５とが接続されている。
【００２５】
防犯装置７は、機器の制御を司るＣＰＵ７１を備えている。ＣＰＵ７１には、ＬＡＮ１０２に接続するためのネットワーク通信部７２と、防犯装置７の設定（稼動、休止）を変更する動作部７５とが接続されている。
【００２６】
次に、ルータ装置２のフラッシュメモリ２４の各種記憶エリアについて、図３を参照して説明する。フラッシュメモリ２４は、プログラム記憶エリア２４１と、外出時設定テーブル記憶エリア２４２と、外出時状態テーブル記憶エリア２４３と、機器／ＤＴＭＦ対応テーブル記憶エリア２４４と、音声メニュー記憶エリア２４５と、音声データ記憶エリア２４６とを少なくとも備えている。
【００２７】
プログラム記憶エリア２４１には、本発明の「制御プログラム」が記憶されている。外出時設定テーブル記憶エリア２４２には、後述する外出時設定テーブル２４２１（図４参照）が記憶されている。外出時状態テーブル記憶エリア２４３には、後述する外出時状態テーブル２４３１（図５参照）が記憶されている。機器／ＤＴＭＦ対応テーブル記憶エリア２４４には、後述する機器／ＤＴＭＦ対応テーブル２４４１（図６参照）が記憶されている。音声メニュー記憶エリア２４５には、後述する音声メニュー２４５１（図７参照）が記憶されている。音声データ記憶エリア２４６には、音声データＡ〜Ｄ（図８参照）が記憶されている。
【００２８】
次に、外出時設定テーブル２４２１について、図４を参照して説明する。外出時設定テーブル２４２１には、監視システム１の管理下に置かれたテレビ４、パソコン５、室内灯６、及び防犯装置７の外出時における正常状態が利用者によって予め登録されている。例えば、テレビ４は「モニターＯＦＦ」、パソコン５は「電源ＯＦＦ」、室内灯６は「消灯」、防犯装置７は「稼動」がそれぞれの正常状態として、外出時設定テーブル２４２１に登録されている。なお、正常状態をどのように設定するかは自由である。外出時設定テーブル２４２１に登録されている情報が「外出時設定情報」である。本実施形態では、外出時において、外出時設定情報と異なる状態の電気機器は異常と判断される。
【００２９】
次に、外出時状態テーブル２４３１について、図５を参照して説明する。監視システム１では、玄関鍵３の施錠を契機に、テレビ４、パソコン５、室内灯６、及び防犯装置７の現在の状態が検出される。それら検出結果は、電気機器４〜７からルータ装置２に送信され、外出時状態テーブル２４３１に各々記憶される。外出時状態テーブル２４３１には、電気機器４〜７の現在の状態が各々記憶される。外出時状態テーブル２４３１に登録されている情報が「外出時状態情報」である。外出時設定テーブル２４２１の外出時設定情報と、外出時状態テーブル２４３１の外出時状態情報とを対比することで、外出時における電気機器４〜７が正常か異常かをそれぞれ判定できる。
【００３０】
次に、機器／ＤＴＭＦ対応テーブル２４４１について、図６を参照して説明する。機器／ＤＴＭＦ対応テーブル２４４１には、電気機器４〜７に対して、プッシュボタン操作（以下、ＤＴＭＦ入力）の番号１〜４が割り当てられている。例えば、番号１はテレビ４、番号２はパソコン５、番号３は室内灯６、番号４は防犯装置７に対応している。後述するように、ルータ装置２から利用者の携帯端末８のスピーカ８７を通じて再生されるＤＴＭＦ入力用音声に従い、利用者が携帯端末８の入力部８９においてＤＴＭＦ入力を行うことにより、電気機器４〜７の各操作を選択できる。
【００３１】
次に、音声メニュー２４５１について、図７を参照して説明する。音声メニュー２４５１には、外出時に異常が検出された電気機器に対応するＤＴＭＦ入力の番号と、該番号に対応する電気機器の種類と、その電気機器の設定内容とが対応づけられて記憶されている。例えば、外出時において電気機器４〜７の各状態が検出され、その結果、テレビ４のモニターがＯＮされ、パソコン５の電源がＯＦＦされ、室内等６が消灯され、防犯装置７が休止していた場合を想定する。図４に示す外出時設定テーブル２４２１と対比すると、パソコン５と室内灯６は正常であるが、テレビ４と防犯装置７とが異常である。この場合、ルータ装置２では、テレビ４と防犯装置７とを正常状態に設定し直す為の音声メニュー２４５１を作成する。
【００３２】
図７に示す音声メニュー２４５１において、ＤＴＭＦ入力の番号には「１」と「４」が記憶されている。「１」と「４」に対応する電気機器として「テレビ」と「防犯装置」が記憶されている。「テレビ」に対応する設定内容には「モニターＯＦＦ」、「防犯装置」に対応する設定内容には「稼動」が記憶されている。このような音声メニュー２４５１に従って、フラッシュメモリ２４の音声データ記憶エリア２４６から音声データが取得され、ＤＴＭＦ入力用音声が生成される。携帯端末８のスピーカ８７を通じてＤＴＭＦ入力用音声を再生する。利用者は、再生されたＤＴＭＦ入力用音声に従って、携帯端末８の入力部８９においてＤＴＭＦ入力を行うことにより、外出先からテレビ４をモニターＯＦＦに設定し、防犯装置７を稼動させることができる。
【００３３】
次に、音声データ記憶エリア２４６に記憶されている音声データについて、図８を参照して説明する。音声データ記憶エリア２４６には、４種類の音声データＡ〜Ｄが記憶されている。これら音声データＡ〜Ｄは、上述の音声メニュー２４５１に従って取得され、ＤＴＭＦ入力用音声を生成する為に利用される。音声データＡ〜Ｄのメッセージ内容は、例えば、以下の通りである。
・音声データＡ  →「テレビのモニターをＯＦＦする場合は１を押してください。」
・音声データＢ  →「パソコンを電源ＯＦＦする場合は２を押して下さい。」
・音声データＣ  →「室内灯を消灯する場合は３を押して下さい。」
・音声データＤ  →「防犯装置を稼動する場合は４を押して下さい。」
【００３４】
次に、監視システム１によって実行される家庭内の電気機器４〜７の監視処理について説明する。監視システム１の監視処理は、玄関鍵３のＣＰＵ３１が実行する外出検出処理（図９参照）と、ルータ装置２のＣＰＵ２１が実行する監視処理（図１０、図１１参照）と、電気機器４〜７のＣＰＵ４１、５１、６１、７１が実行する機器状態設定処理（図１２参照）と、携帯端末８のＣＰＵ８１が実行するＤＴＭＦ入力処理（図１３処理）とによって構成される。
【００３５】
まず、玄関鍵３のＣＰＵ３１が実行する外出検出処理について、図９のフローチャートを参照して説明する。本処理は、玄関鍵３の電源がオンされたのを契機に実行される。ＣＰＵ３１は、鍵機構部３５（図２参照）において、施錠を検出したか否か判断する（Ｓ１）。ＣＰＵ３１は、施錠を検出するまでは（Ｓ１：ＮＯ）、Ｓ１に戻って待機状態となる。ＣＰＵ３１は、施錠を検出したと判断した場合（Ｓ１：ＹＥＳ）、利用者は外出したので、ルータ装置２に向けて、利用者が外出したことを通知する外出通知信号を送信する（Ｓ２）。ＣＰＵ３１は、その後、Ｓ１に戻って処理を繰り返す。
【００３６】
次に、ルータ装置２のＣＰＵ２１が実行する監視処理について、図１０、図１１のフローチャートを参照して説明する。本処理は、ルータ装置２の電源がＯＮされると、フラッシュメモリ２４のプログラム記憶エリア２４１（図３参照）に記憶された「制御プログラム」が呼び出されて実行される。
【００３７】
まず、ＣＰＵ２１は、玄関鍵３から外出通知信号を受信したか否か判断する（Ｓ１１）。ＣＰＵ２１は、玄関鍵３から外出通知信号を受信するまでは（Ｓ１１：ＮＯ）、Ｓ１１に戻って待機状態となる。
【００３８】
ＣＰＵ２１は、玄関鍵３から外出通知信号を受信したと判断した場合（Ｓ１１：ＹＥＳ）、利用者が外出したので、家庭内の電気機器４〜７の現在の状態を確認する為、電気機器４〜７に向けて、機器状態確認依頼信号を送信する（Ｓ１２）。機器状態確認依頼信号を受信した電気機器４〜７は、各機器の現在の状態を検出する。電気機器４〜７は、現在の状態の検出結果を示す機器状態確認結果信号をルータ装置２に向けて送信する。
【００３９】
ＣＰＵ２１は、電気機器４〜７から機器状態確認結果信号を受信した否か判断する（Ｓ１３）。ＣＰＵ２１は、電気機器４〜７から機器状態確認結果信号を全て受信したと判断するまでは（Ｓ１３：ＮＯ）、Ｓ１３に戻って待機状態となる。ＣＰＵ２１は、電気機器４〜７から受信した機器状態確認結果信号に基づき、フラッシュメモリ２４に記憶した外出時状態テーブル２４３１（図５参照）に、電気機器４〜７の現在の状態を登録する。
【００４０】
ＣＰＵ２１は、電気機器４〜７から機器状態確認結果信号を全て受信したと判断した場合（Ｓ１３：ＹＥＳ）、フラッシュメモリ２４に記憶された外出時設定テーブル２４２１（図４参照）から、電気機器４〜７の外出時設定情報を取得する（Ｓ１４）。ＣＰＵ２１は、取得した外出時設定情報と、外出時状態テーブル２４３１（図５参照）に登録した外出時情報とを比較する（Ｓ１５）。ＣＰＵ２１は、外出時設定情報と外出時情報との比較結果に相違が有るか否か判断する（Ｓ１６）。ＣＰＵ２１は、外出時設定情報と外出時情報との比較結果に相違が無いと判断した場合（Ｓ１６：ＮＯ）、外出時において家庭内の電気機器４〜７はすべて正常であるので、Ｓ１１に戻って処理を繰り返す。
【００４１】
一方、ＣＰＵ２１は、外出時設定情報と外出時情報との比較結果に相違があると判断した場合（Ｓ１６：ＹＥＳ）、異常のある電気機器が検出されているので、異常が検出された電気機器を正常状態に設定する為の音声メニューを作成する（Ｓ１７）。
【００４２】
例えば、図４に示す外出時設定テーブル２４２１に記憶された外出時設定情報と、図５に示す外出時状態テーブル２４３１に記憶された外出時情報とを対比する。すると、テレビ４の現在の状態と、防犯装置７の現在の状態とが、外出時設定情報と異なっているので異常である。ＣＰＵ２１は、テレビ４と防犯装置７とを正常に設定し直す為の音声メニュー２４５１（図７参照）を作成する。ＣＰＵ２１は、作成した音声メニュー２４５１を、フラッシュメモリ２４の音声メニュー記憶エリア２４５（図３参照）に記憶する。
【００４３】
ＣＰＵ２１は、作成した音声メニュー２４５１に対応する音声データＡ、Ｄを、フラッシュメモリ２４の音声データ記憶エリア２４６（図８参照）から取得する（Ｓ１８）。ＣＰＵ２１は、取得した音声データＡ、Ｄを元に、ＤＴＭＦ入力用音声を生成する（Ｓ１９）。生成したＤＴＭＦ入力用音声が、異常が検出されたテレビ４と防犯装置７とを正常に設定し直す為の音声ガイダンスとなる。
【００４４】
このように、ＣＰＵ２１は、異常が検出された電気機器のみを抽出し、異常が検出された電気機器のみを正常に設定し直す為のＤＴＭＦ入力用音声を生成する。故に、利用者は、電気機器４〜７の中から異常が検出された電気機器を選択する手間がない。さらに、利用者は、どの電気機器に異常が検出されたかを短時間で把握できる。また、利用者が携帯端末８の入力部８９で行うＤＴＭＦ入力作業を簡単にできる。
【００４５】
次いで、ＣＰＵ２１は、利用者に電気機器の異常を通知する為、利用者の携帯端末８に発信する（Ｓ２０）。
【００４６】
図１１に示すように、ＣＰＵ２１は、携帯端末８が着信を受け入れたか否か判断する（Ｓ２１）。ＣＰＵ２１は、例えば、携帯端末８において着信拒否が設定されていると判断した場合、又は所定時間を経過しても着信を受け入れられないと判断した場合（Ｓ２１：ＮＯ）、図１０のＳ１１に戻って処理を繰り返す。利用者は、ルータ装置２から着信があれば、少なくとも家庭内の電気機器４〜７の何れかに異常があったことを認識できる。例えば、外出先と自宅との距離が近ければ、自宅に帰って、自ら異常のあった電気機器を正常に設定し直すことも可能である。この場合、利用者は、ルータ装置２からの着信を拒否すればよい。この他にも例えば、利用者が事情により異常があっても構わないと判断した場合に、ルータ装置２からの着信を拒否してもよい。
【００４７】
ＣＰＵ２１は、携帯端末８が着信を受け入れたと判断した場合（Ｓ２１：ＹＥＳ）、ＤＴＭＦ入力用音声を再生する（Ｓ２２）。すると、利用者の携帯端末８のスピーカ８７からＤＴＭＦ入力用音声が流れる。本実施例では、例えば、「テレビを電源ＯＦＦする場合は１を押してください。防犯装置を稼動する場合は４を押して下さい。」というＤＴＭＦ入力用音声が流れる。利用者は、ＤＴＭＦ入力用音声に従って、携帯端末８の入力部８９においてＤＴＭＦ入力を行う。携帯端末８は、ＤＴＭＦ入力に対応するＤＴＭＦ信号をルータ装置２に送信する。
【００４８】
ＣＰＵ２１は、携帯端末８からＤＴＭＦ信号を受信したか否かを判断する（Ｓ２４）。ＣＰＵ２１は、携帯端末８からＤＴＭＦ信号を受信するまでは（Ｓ２４：ＮＯ）、携帯端末８と通話中か否か判断する（Ｓ２３）。ＣＰＵ２１は、携帯端末８と通話中であると判断する間は（Ｓ２３：ＹＥＳ）、Ｓ２４に戻って、ＤＴＭＦ信号を受信するまで待機状態となる。ＣＰＵ２１は、携帯端末８との通話が遮断され、通話中でないと判断した場合（Ｓ２３：ＮＯ）、図１０のＳ１１に戻って処理を繰り返す。
【００４９】
例えば、利用者がＤＴＭＦ入力用音声に従って、携帯端末８の入力部８９において番号「１」を押した場合、ＣＰＵ２１は、携帯端末８から番号「１」に対応するＤＴＭＦ信号を受信する。ＣＰＵ２１は、番号「１」のＤＴＭＦ信号を受信したと判断した場合（Ｓ２４：ＹＥＳ）、ＣＰＵ２１は、機器／ＤＴＭＦ対応テーブル」２４４１（図６参照）を参照し、番号「１」に対応するＤＴＭＦ信号はテレビ４であると認識する。ＣＰＵ２１は、フラッシュメモリ２４に記憶した音声メニュー２４５１（図７参照）に基づき、テレビ４の設定内容を決定する。ＣＰＵ２１は、ＤＴＭＦ信号に対応する電気機器のＤＴＭＦ対応動作データを取得する（Ｓ２５）。本実施例では、ＣＰＵ２１は、番号「１」のＤＴＭＦ信号に対応するテレビ４を「モニターＯＦＦ」に設定するＤＴＭＦ対応動作データを取得する。
【００５０】
ＣＰＵ２１は、取得したＤＴＭＦ対応動作データに基づき、テレビ４のモニターをＯＦＦに設定する為の機器状態設定依頼信号を、テレビ４に向けて送信する（Ｓ２６）。機器状態設定依頼信号を受信したテレビ４のＣＰＵ４１（図２参照）は、動作部４５によってモニターをＯＦＦに設定する。設定動作を終了したＣＰＵ４１は、テレビ４の設定動作を終了したことを通知する為の設定動作終了通知信号をルータ装置２に向けて送信する。
なお、テレビ４については、モニターをＯＦＦに設定する以外に、電源をＯＦＦに設定するようにしてもよい。テレビ４のＣＰＵ４１は、テレビ４の電源がＯＦＦの場合でもルータ装置２との通信は可能である。
【００５１】
ＣＰＵ２１は、テレビ４から設定動作終了通知信号を受信したか否か判断する（Ｓ２７）。ＣＰＵ２１は、テレビ４から設定動作終了通知信号を受信していないと判断した場合（Ｓ２７：ＮＯ）、Ｓ２７に戻って待機状態となる。ＣＰＵ２１は、テレビ４から設定動作終了通知信号を受信したと判断した場合（Ｓ２７：ＹＥＳ）、設定動作が終了したことを通知する設定動作終了通知用音声を再生する（Ｓ２８）。これにより、利用者は、携帯端末８のスピーカ８７を通じて、テレビ４の設定動作が終了したことを認識できる。
【００５２】
ＣＰＵ２１は、異常が検出された全ての電気機器から設定動作終了通知信号を受信したか否か判断する（Ｓ２９）。本実施例では、異常が検出されたテレビ４の設定動作終了通知信号は受信したが、異常が検出された防犯装置７の設定動作終了通知信号はまだ受信していない。
【００５３】
ＣＰＵ２１は、異常が検出された防犯装置７から設定動作終了通知信号を受信していないと判断し（Ｓ２９：ＮＯ）、防犯装置７のみを対象としたＤＴＭＦ入力用音声に変更する為、「防犯装置を稼動する場合は４を押して下さい。」のＤＴＭＦ入力用音声を生成する（Ｓ３０）。ＣＰＵ２１は、Ｓ２２に戻り、生成したＤＴＭＦ入力用音声を再生する。携帯端末８のスピーカ８７から「防犯装置を稼動する場合は４を押して下さい。」というＤＴＭＦ入力用音声が流れる。ＣＰＵ２１は、上記同様にＳ２３〜２８を実行し、休止していた防犯装置７を稼動させる。設定動作を終了した防犯装置７のＣＰＵ７１は、防犯装置７の設定動作を終了したことを通知する為の設定動作終了通知信号をルータ装置２に向けて送信する。
【００５４】
ＣＰＵ２１は、異常が検出された全ての電気機器から設定動作終了通知信号を受信したか否か判断する（Ｓ２９）。ＣＰＵ２１は、異常が検出された防犯装置７からも設定動作終了通知信号を受信しているので（Ｓ２９：ＹＥＳ）、家庭内の電気機器４〜７は全て正常になっているので、図１０のＳ１１に戻って処理を繰り返す。
【００５５】
次に、電気機器４〜７のＣＰＵ４１〜７１が実行する機器状態確認処理について、図１２のフローチャートを参照して説明する。なお、ここでは、テレビ４のＣＰＵ４１が実行する機器状態確認処理を一例として説明する。
【００５６】
まず、ＣＰＵ４１は、ルータ装置２から機器状態確認依頼信号を受信したか否か判断する（Ｓ３１）。機器状態確認依頼信号は、玄関鍵３が施錠され、利用者が外出したことをトリガーとして、ルータ装置２から送信されるものである。ＣＰＵ４１は、ルータ装置２から機器状態確認依頼信号を受信していないと判断した場合（Ｓ３１：ＮＯ）、続いて、機器状態設定依頼信号を受信したか否か判断する（Ｓ３５）。ＣＰＵ４１は、機器状態設定依頼信号も受信していないと判断した場合（Ｓ３５：ＮＯ）、Ｓ３１に戻って、機器状態確認依頼信号、又は機器状態設定依頼信号の受信があるまで待機状態となる。
【００５７】
ＣＰＵ４１は、ルータ装置２から機器状態確認依頼信号を受信したと判断した場合（Ｓ３１：ＹＥＳ）、モニターがＯＦＦかＯＮかの機器状態を検出する（Ｓ３２）。ＣＰＵ４１は、機器状態の検出結果を示す機器状態確認結果信号をルータ装置２に送信し（Ｓ３３）、Ｓ３１に戻って処理を繰り返す。機器状態確認結果信号を受信したルータ装置２では、電気機器４〜７が正常か異常かを判定し、異常の検出された電気機器に向けて、機器状態設定依頼信号を送信する。
【００５８】
ＣＰＵ４１は、ルータ装置２から機器状態設定依頼信号を受信したと判断した場合（Ｓ３５：ＹＥＳ）、その機器状態設定依頼信号に基づき、設定動作を実行する（Ｓ３６）。機器状態設定依頼信号を受信した場合、テレビ４に異常が検出されている。つまり、外出時のテレビ４のモニターがＯＮになっている。機器状態設定依頼信号は、テレビ４のモニターをＯＦＦにする依頼である。ＣＰＵ４１は、テレビ４をモニターＯＦＦに設定する。これにより、テレビ４の機器状態は正常となる。ＣＰＵ４１は、機器状態の設定動作を終了したので、設定動作終了通知信号をルータ装置２に送信し（Ｓ３７）。Ｓ３１に戻って、処理を繰り返す。
【００５９】
次に、携帯端末８のＣＰＵ８１が実行するＤＴＭＦ入力処理について、図１３のフローチャートを参照して説明する。本処理は、携帯端末８の電源がＯＮされると開始される。まず、ＣＰＵ８１は、ルータ装置２から異常通知の着信があったか否か判断する（Ｓ４１）。ＣＰＵ８１は、ルータ装置２から異常通知の着信があるまでは（Ｓ４１：ＮＯ）、Ｓ４１に戻って待機状態となる。
【００６０】
ＣＰＵ８１は、ルータ装置２から異常通知の着信があったと判断した場合（Ｓ４１：ＹＥＳ）、利用者が着信ボタン（図示外）を押して着信を受け入れたか否かを判断する（Ｓ４２）。ＣＰＵ８１は、利用者が着信ボタンを押さずに、着信拒否の操作をしたと判断した場合（Ｓ４２：ＮＯ）、Ｓ４１に戻って、処理を繰り返す。利用者は、ルータ装置２から着信があれば、少なくとも家庭内の電気機器４〜７の何れかに異常があったことを認識できる。例えば、外出先と自宅との距離が近ければ、自宅に帰って、自ら異常のあった電気機器を正常に設定し直すことも可能である。この場合、利用者は、携帯端末８においてルータ装置２からの着信を拒否すればよい。
【００６１】
ＣＰＵ８１は、利用者が着信ボタン（図示外）を押して着信を受け入れたと判断した場合（４２：ＹＥＳ）、ＤＴＭＦ入力用音声が再生されたか否か判断する（Ｓ４３）。ＤＴＭＦ入力用音声をスピーカ８７から聞いた利用者は、電気機器４〜７のどの電気機器が異常であるかを認識できる。利用者は、スピーカ８７から流れるＤＴＭＦ入力用音声に従って、入力部８９においてＤＴＭＦ入力を行う。
【００６２】
ＣＰＵ８１は、スピーカ８７からＤＴＭＦ入力用音声が再生されたと判断した場合（Ｓ４３：ＹＥＳ）、入力部８９においてＤＴＭＦ入力が有ったか否か判断する（Ｓ４５）。ＣＰＵ８１は、入力部８９においてＤＴＭＦ入力が有るまでは（Ｓ４５：ＮＯ）、ルータ装置２と通話中か否か判断する（Ｓ４４）。ＣＰＵ８１は、ルータ装置２と通話中と判断した場合（Ｓ４４：ＹＥＳ）、Ｓ４５に戻って、入力部８９においてＤＴＭＦ入力があるまで待機状態となる。ＣＰＵ８１は、利用者によってルータ装置２との通話が遮断されたと判断した場合（Ｓ４４：ＮＯ）、ルータ装置２との通話が終了しているので、最初のＳ４１に戻って、処理を繰り返す。
【００６３】
ＣＰＵ８１は、入力部８９においてＤＴＭＦ入力が有ったと判断した場合（Ｓ４５：ＹＥＳ）、設定動作終了通知用音声が再生されたか否か判断する（Ｓ４７）。ＣＰＵ８１は、設定動作終了通知用音声が再生されていないと判断した場合（Ｓ４７：ＮＯ）、ルータ装置２と通話中か否か判断する（Ｓ４６）。ＣＰＵ８１は、ルータ装置２と通話中と判断した場合（Ｓ４６：ＹＥＳ）、Ｓ４７に戻って、設定動作終了通知用音声が再生されるまで待機状態となる。ＣＰＵ８１は、利用者によってルータ装置２との通話が遮断されたと判断した場合（Ｓ４６：ＮＯ）、ルータ装置２との通話が終了しているので、最初のＳ４１に戻って、処理を繰り返す。
【００６４】
ＣＰＵ８１は、設定動作終了通知用音声が再生されたと判断された場合（Ｓ４７：ＹＥＳ）、Ｓ４３に戻り、さらにＤＴＭＦ入力用音声が再生されたか否か判断する。利用者による１回のＤＴＭＦ入力で、機器状態を設定し直すことができる電気機器は１つである。１つの電気機器の設定が終了しても、異常が検出された電気機器が残っている場合、ルータ装置２では、残りの電気機器に対応するＤＴＭＦ入力用音声が再生される。異常が検出された電気機器が残っていない場合、ＤＴＭＦ入力用音声は再生されない。ＣＰＵ８１は、ＤＴＭＦ入力用音声が再生されないと判断した場合（Ｓ４３：ＮＯ）、最初のＳ４１に戻って処理を繰り返す。
【００６５】
以上説明したように、本実施形態のルータ装置２では、玄関鍵３の施錠を契機に、家庭内の電気機器４〜７の状態を検出する。検出した電気機器４〜７の現在の状態と、予め登録した電気機器４〜７の外出時の正常状態とを対比し、状態が異なる電気機器は異常である。ルータ装置２は、異常が検出された電気機器を抽出し、その異常が検出された電気機器の状態を携帯端末８のＤＴＭＦ入力により設定可能とする為に、ＤＴＭＦ入力用音声を生成する。ルータ装置２は、異常通知として利用者の携帯端末８に発信する。携帯端末８で着信が受け入れられた場合、ＤＴＭＦ入力用音声を再生する。
【００６６】
利用者は、ＤＴＭＦ入力用音声に従い、携帯端末８からＤＴＭＦ入力を行う。ＤＴＭＦ信号を受信したルータ装置２は、ＤＴＭＦ信号に対応する電気機器に対して、状態を正常に設定することを依頼する機器状態設定依頼信号を送信する。機器状態設定依頼信号を受信した電気機器では、機器状態設定依頼信号に基づき、状態を正常に設定し直す。これにより、利用者は、外出時に電気機器の異常を確認できるのみならず、異常があった電機機器に対して迅速に対処できる。
【００６７】
以上説明において、図１に示すルータ装置２が本発明の「監視装置」に相当し、電気機器４〜７が本発明の「機器」に相当し、玄関鍵３が本発明の「外出検知部」に相当し、携帯端末８が本発明の「外部端末」に相当し、フラッシュメモリ２４が本発明の「記憶部」に相当する。図１０のＳ１２の処理を実行するＣＰＵ２１が本発明の「機器状態検出ステップ」に相当し、Ｓ１５、Ｓ１６の処理を実行するＣＰＵ２１が本発明の「異常有無判断ステップ」に相当し、Ｓ２０〜Ｓ２２の処理を実行するＣＰＵ２１が本発明の「異常情報出力ステップ」に相当し、Ｓ２４の処理を実行するＣＰＵ２１が本発明の「制御要求指令ステップ」に相当し、Ｓ２６の処理を実行するＣＰＵ２１が本発明の「機器制御ステップステップ」に相当する。ＤＴＭＦ信号が本発明の「制御要求指令」に相当し、ＤＴＭＦ入力用音声が本発明の「異常情報」としての「音声メニュー情報」に相当する。
【００６８】
なお、本発明は上記実施の形態に限定されず、様々な変形が可能である。例えば、上記実施形態は、ルータ装置２のＣＰＵ２１が作成する音声メニューとして、図７に示す音声メニュー２４５１を一例として説明している。つまり、音声メニュー２４５１では、異常のあったテレビ４と防犯装置７の各状態を、２段階のＤＴＭＦ入力で、正常な状態に戻すことができる。これに対し、図１４に示す音声メニュー２４５２では、異常のあったテレビ４と防犯装置７の各状態を、１段階のＤＴＭＦ入力で、正常な状態に戻すことができる。
【００６９】
図１４に示す音声メニュー２４５２では、図７に示す音声メニュー２４５１に対して、ＤＴＭＦ入力の番号「１」、「４」に追加して「０」が記憶されている。「０」には、「テレビ：電源ＯＦＦ」と、「防犯装置：稼動」とを同時に設定可能な外出時設定が記憶されている。このような音声メニュー２４５２を元に生成されるＤＴＭＦ入力用音声は、例えば、「全てを外出時設定にする場合は０を押してください。テレビの電源をＯＦＦにする場合には１を押してください。防犯装置を稼動する場合には４を押してください。」となる。利用者が携帯端末８の入力部８９において「０」を押した場合、１段階のＤＴＭＦ入力で、テレビ４を電源ＯＦＦに設定し、防犯装置７を稼動させることができる。従って、異常状態の機器が複数に渡る場合には、ＤＴＭＦ入力の作業をさらに短縮できる。
【００７０】
また、上記実施形態では、ルータ装置２が実行する監視処理は、玄関鍵３において施錠が検出されたことを契機としているが、監視処理のトリガーはこれ以外でもよい。利用者の外出を契機とするならば、例えば、玄関に人感センサ、赤外線センサ等を設け、玄関における人の通過を検出して利用者の外出を検出してもよい。また、玄関に外出ボタンを設け、外出時に押下されたときを契機としてもよい。
【００７１】
また、上記実施形態では、本発明の監視装置として、ルータ装置２を一例として説明したが、これ以外に、例えば、通常のＰＣや、複合機でもよく、ＰＳＴＮ、ＬＡＮに接続できるものであればよい。さらに、本発明の監視装置は、協働して動作する複数の装置で構成されていてもよい。
【００７２】
また、上記実施形態では、ルータ装置２のＣＰＵ２１は、利用者が外出するタイミングで、監視処理を実行しているが、外出中に監視処理を実行してもよい。さらには、外出中において、監視処理を定期的に実行するようにしてもよい。
【符号の説明】
【００７３】
１  監視システム
２  ルータ装置
３  玄関鍵
４  テレビ
５  パソコン
６  室内灯
７  防犯装置
８  携帯端末
２１  ＣＰＵ
２４  フラッシュメモリ
【図１】
2012159900.tif 000003
【図２】
2012159900.tif 000004
【図３】
2012159900.tif 000005
【図４】
2012159900.tif 000006
【図５】
2012159900.tif 000007
【図６】
2012159900.tif 000008
【図７】
2012159900.tif 000009
【図８】
2012159900.tif 000010
【図９】
2012159900.tif 000011
【図１０】
2012159900.tif 000012
【図１１】
2012159900.tif 000013
【図１２】
2012159900.tif 000014
【図１３】
2012159900.tif 000015
【図１４】
2012159900.tif 000016